(57)【要約】      （修正有）【課題】器具上方へ照射される光を抑制し、器具上方の光害を防止するとともに、路面等の照明必要部を適切に照射することが可能な照明器具を提供する。【解決手段】光源であるＬＥＤ２０と、一端から他端にかけて凹状の湾曲断面を有し、この湾曲断面内に前記光源を配設するように形成された第１の反射面３３及び湾曲断面の一端側を閉塞する第２の反射面３２を有する反射体３０と、を有する光源部４０と天板１１と、天板１１の下面側に設けられ前記光源部４０の一端が天板１１側となるように前記光源部４０を取り付ける取付部と、天板１１から下方に向かって配設され、その下端縁部が光源であるＬＥＤ２０の他端側から第２の反射面３２の先端を通る直線よりも下方に設けられた側壁部１２と、有する器具本体１０とを具備する。【選択図】図１
2010118223.tif 000002
【特許請求の範囲】
【請求項１】
光源と、一端から他端にかけて凹状の湾曲断面を有し、この湾曲断面内に前記光源を配設するように形成された第１の反射面及び湾曲断面の一端側を閉塞する第２の反射面を有する反射体と、を有する光源部と；
天板と、天板の下面側に設けられ前記光源部の一端が天板側となるように前記光源部を取り付ける取付部と、天板から下方に向かって配設され、その下端縁部が光源の他端側から第２の反射面の先端を通る直線よりも下方に設けられた側壁部と、有する器具本体と；
を具備することを特徴とする照明器具。
【請求項２】
前記側壁部の下端縁部は、第２の反射面の先端と略同一高さよりも上方となるように設けられていることを特徴とする請求項１に記載の照明器具。
【請求項３】
前記光源部は、第１の反射面が下方を向くように天板に対して傾斜するように取り付けられており、天板の下面側に設けられ、その下端縁部が第１の反射面の他端側縁部の最上端と略同一高さよりも下方となるように形成された端板部を有することを特徴とする請求項１または２に記載照明器具。
【請求項４】
前記端板部は、その下端縁部が第１の反射面の他端側縁部の最下端と略同一高さよりも上方となるように設けられていることを特徴とする請求項３に記載の照明器具。
【発明の詳細な説明】
【技術分野】
【０００１】
この発明は、街路灯等に用いられる照明器具に関するものである。
【背景技術】
【０００２】
従来のこの種の照明器具としては、多数個の白色発光ダイオードを一つの基板に設けたものを多数用いて、この多数の基板の角度を変えて多角形面を構成するように配置し、多方向へ光出射される構成を採用したものが知られている（特許文献１参照）。
【０００３】
しかしながら、この照明器具においては、光が本体部の上方へ出射されるものであった。特に、街路灯等においては、上記のような上方への出射光が存在すると、上方から器具を見たときのグレアが増大し光害となったり、上方への照射光が被照射面へ寄与しなくなったり、照明効率が低下するという問題がある。
【特許文献１】特開２０００−２００１０２号公報
【発明の開示】
【発明が解決しようとする課題】
【０００４】
本発明は上記のような従来の照明器具における問題点を解決せんとしてなされたもので、その目的は、器具上方へ照射される光を抑制し、器具上方の光害を防止するとともに、路面等の照明必要部を適切に照射することが可能な照明器具を提供することである。
【課題を解決するための手段】
【０００５】
本発明に係る照明器具は、光源と、一端から他端にかけて凹状の湾曲断面を有し、この湾曲断面内に前記光源を配設するように形成された第１の反射面及び湾曲断面の一端側を閉塞する第２の反射面を有する反射体と、を有する光源部と；天板と、天板の下面側に設けられ前記光源部の一端が天板側となるように前記光源部を取り付ける取付部と、天板から下方に向かって配設され、その下端縁部が光源の他端側から第２の反射面の先端を通る直線よりも下方に設けられた側壁部と、有する器具本体と；を具備することを特徴とする。
【０００６】
光源としては、ＬＥＤ、有機EL、放電ランプなどを用いることができる。器具本体は、アルミニウム、鋼板などにより構成され、光を透過しないものとする。側板部は、例えば天板の側周縁部から垂下するように一体的に設けられたものであってもよいし、天板とは別体に構成されたものであってもよい。
【０００７】
本発明に係る照明器具は、前記側壁部の下端縁部は、第２の反射面の先端と略同一高さよりも上方となるように設けられていることを特徴とする。
【０００８】
本発明に係る照明器具は、前記光源部は、第１の反射面が下方を向くように天板に対して傾斜するように取り付けられており、天板の下面側に設けられ、その下端縁部が第１の反射面の他端側縁部の最上端と略同一高さよりも下方となるように形成された端板部を有することを特徴とする。ここに、端板部は、例えば天板と一体に構成されてもよいし、別体で構成されてもよい。
【０００９】
本発明に係る照明器具は、前記端板部は、その下端縁部が第１の反射面の他端側縁部の最下端と略同一高さよりも上方となるように設けられていることを特徴とする。
【発明の効果】
【００１０】
本発明によれば、側板部によって光源部から出射した器具上方への光を遮蔽することができるので、上方から器具を見たときのグレアを防止することができる。また、側板部によって放熱面積が増加し光源部で発生した熱を放熱することができる。
【００１１】
本発明によれば、光源部から側方よりも下方へ出射された光を遮蔽しないため、光源部で配光制御した光の配光を維持したまま、上方から器具を見たときのグレアを防止するとともに、被照射面への照明効率を向上させることができる。
【００１２】
本発明によれば、光源部を器具本体に傾斜して取り付けたときに第１の反射面の他端側から器具の上方へ出射された光を遮蔽し、上方から器具を見たときのグレアを防止することができる。
【００１３】
本発明によれば、光源部を器具本体に傾斜して取り付けたときに第１の反射面の他端側から器具の側方よりも下方へ出射された光を遮蔽しないため、光源部で配光制御した光の配光を維持したまま、上方から器具を見たときのグレアを防止するとともに、被照射面への照明効率を向上させることができる。
【発明を実施するための最良の形態】
【００１４】
以下添付図面を参照して本発明に係る照明器具の実施例を説明する。各図において同一の構成要素には、同一の符号を付して重複する説明を省略する。本発明に係る照明器具は、図１に示されるように、器具本体１０が概ね長方形形状の天板１１と、天板１１の一組の長辺側の側周縁部から下方へ向かって略垂直に設けられた側壁部１２とを有している。また、天板１１における一組の短辺側の側周縁部には、端板部１３が下方に向かって略垂直に設けられている。
【００１５】
光源部４０は、基板２１に一列に実装された光源としての複数のＬＥＤ２０及び反射体３０を有している。反射体３０は、第１の反射面３３及び第２の反射面３２を有しており、第１の反射面３３は、一端から他端にかけて凹状の湾曲断面を有し、例えば樋状に形成されている。この第１の反射面３３で形成される樋状の空間である反射室３１に複数のＬＥＤ２０が配設される。そして、第２の反射面３２が凹状の湾曲断面の一端側を閉塞することにより、つまり反射室３１の一端側の開口を閉塞することによって、第１及び第２の反射面３３、３２が連続的に形成されている。
【００１６】
反射体３０は、第１及び第２の反射面３３、３２に対向する位置がそれぞれ開口した直方体形状に形成されており、この開口は光源としての複数のＬＥＤ２０から出射された光、またはこれらの反射面で反射された反射光の出射口として機能する。反射体３０の底部には、基板２１が配設されるとともに第１の反射面３３には複数のＬＥＤ２０を配設するための開口切り欠きが設けられている。すなわち、複数のＬＥＤ２０を実装した基板２１を反射体３０底部の外周面側から取り付けることにより、複数のＬＥＤ２０が第１の反射面３３の開口切り欠きに配設される。
【００１７】
第１及び第２の反射面３３、３２は、例えば鏡面に形成されており光源から出射された光の取り出し効率を向上させるとともに、第１の反射面に光源の像が写るため、第１の反射面から光源を視認した際に光源の面積が見かけ上増加しグレアを防止するという効果がある。
【００１８】
このように構成された光源部４０を天板１１の下面側に配設された断面V字状に折り曲げられたアルミニウムなどにより構成される取付部４１の表面に複数個並設し、光源部４０は、第１の反射面３３が下方を向くように天板１１に対して傾斜するように取り付けられている。このとき、光源部４０の一端が天板１１側となるようにし、隣り合う光源部４０の第１の反射面３３の縁部同士が密接するように取り付けられている。
【００１９】
取付部４１は稜部４２が最も突出した位置にあり、この稜部４２は半透明のプラスチックなどにより構成されるカバー４８に最も近接している。器具本体１０内において、光源部４０の実装部位を除く位置には、点灯装置５０が設けられており、ＬＥＤの点灯制御を行っている。カバー４８の開口を囲繞する周縁端部には係合部４８ａが形成され、器具本体１０の側壁部１２、端板部１３の下端部にも係合部１４が形成され、これら係合部４８ａと係合部１４が係合してカバー４８が器具本体１０に取り付けられる。
【００２０】
器具本体１０における側壁部１２の下端縁部１２ａが，上記第２の反射面３２の先端３２ａと略同一高さに形成されている。つまり、図２に示すような照明器具の取り付け状態において、基板２１に実装された複数のＬＥＤ２０の他端側となる最も低い位置に実装されたＬＥＤ２０から、側壁部１２の下端縁部１２ａを掠める光線よりも下方の光をその内面で反射し遮蔽することができる。このため、器具の上方への光照射が抑制されてグレアを防止することができる。
【００２１】
また、側壁部１２の内面で反射した光は被照射面側である下方へ向かい照射光となるため、本来被照射面への照射には寄与していなかった器具上方への光を有効に使用することができ器具の照明効率が向上する。ここで、光源部４０の配光を被照射対象に合わせて設計していた場合、光源部４０の配光を変更することなく上方への光照射を遮蔽しグレアを抑制することができる。
【００２２】
一方、ＬＥＤ２０から側方に出射された光は一部第２の反射面３２で下方向へ反射されるとともに、第２の反射面の先端３２aよりも下方側では反射されることなく側方へ照射される。ここで、側壁部１２の下端縁部１２aが第２の反射面３２の先端３２ａと略同一高さよりも上方となるように形成されているため、ＬＥＤ２０から側方に出射された光を遮ることが無く、器具の照射効率が低下することがない。
【００２３】
上記に対し、本発明に係る照明器具の実施例の変形例にあっては、図２における実線の側壁部１２の下端縁部１２ａの先に、一点鎖線により示されている通り、下端縁部１２ｂが延長された構成を有する。つまり、天板１１の一組の側周縁部に略垂直に設けられた側壁部１２の下端縁部１２ｂが、上記第２の反射面３２の先端３２ａよりも低い位置に形成されている。
【００２４】
上記変形例の構成によれば、光線Ｌよりも更に仰角θの小さな出射光が側壁部１２の内面にて遮断され、不要方向への光出射を防ぐことができる。
【００２５】
図３は、本発明の実施例に係る照明器具の器具本体１０を端板部１３側から見た透視図である。この実施例では、天板１１の一組の側周縁部に略垂直に設けられた端板部１３の下端縁部１３ａが、反射体３０の第１の反射面３３の他端側周縁部の最下端部である第１の反射面３３の最下端３３ａと略同一高さに形成されている。
【００２６】
この構成によれば、ＬＥＤ２０から出射された光は、反射室３１内における反射面によって様々な方向に反射され、上記端板部１３方向へ進む光も存在する。係る光の中において、反射体３０の最下端部である第１の反射面３３の最下端３３ａ付近から出射された光の軌道が最も水平に近く、この水平に近い軌跡で進む光が最下端３３ａを掠める程度となる。即ち、出射光が端板部１３の内面にて遮断され、上方向への光出射を防ぐことができる。従って、出射光が端板部１３の内面にてほぼ遮断されるように、天板１１の一組の側周縁部に略垂直に設けられた端板部１３の下端縁部１３ａと、反射体３０の第１の反射面３３の他端側周縁部の最下端部である第１の反射面３３の最下端３３ａとの高さ関係が設定されることが必要であるから、端板部１３は、その下端縁部１３ａが第１の反射面３３の他端側縁部の最下端３３ａと略同一高さよりも上方となるように設けられていても良い。
【００２７】
また、本実施例においては、天板１１の一組の長辺側の側周縁部に略垂直に設けられた側壁部１２を有しており、更に、天板１１における一組の短辺側の側周縁部には、端板部１３が略垂直に設けられている。即ち、天板１１の周囲に設けられた側壁部１２、端板部１３は略垂直に設けられている。
【００２８】
一方、ＬＥＤ２０が実装された基板２１は取付部４１に取り付けられ、ＬＥＤ２０により発生した熱は基板２１及び取付部４１を介して器具本体１０に伝導する。この場合において、側壁部１２、端板部１３が略垂直に設けられていることによって、平坦であったり傾斜したりしている構成に比べて効率良く放熱がなされ、良好な放熱効果を有する照明器具を提供することができる。
【図面の簡単な説明】
【００２９】
【図１】本発明に係る照明器具の実施例を示す一部破断平面図。
【図２】本発明に係る照明器具の実施例を示す側面方向からの断面図。
【図３】本発明に係る照明器具の実施例を示す側面方向からの透視図。
【符号の説明】
【００３０】
１０  器具本体
１１  天板
１２  側壁部
１３  端板部
３０  反射体
３２  第２の反射面
３３  第１の反射面
４０  光源部
５０  点灯装置
【図１】
2010118223.tif 000003
【図２】
2010118223.tif 000004
【図３】
2010118223.tif 000005